(57)【要約】  端末において、SRSドロップ制御部は、部分帯域に対応する系列長を有する系列を複数個用いて生成される参照信号の送信電力が閾値を超える場合に、複数の部分帯域のうち一部の部分帯域をドロップする。また、無線送信部は、複数の部分帯域のうち、上記ドロップされる一部の部分帯域以外の残りの部分帯域で参照信号を送信する。
2018173438.tif 000002
【特許請求の範囲】
【請求項１】
部分帯域に対応する系列長を有する系列を複数個用いて生成される参照信号の送信電力が閾値を超える場合、複数の部分帯域のうち一部の部分帯域をドロップする回路と、
前記複数の部分帯域のうち前記ドロップされる一部の部分帯域以外の残りの部分帯域で前記参照信号を送信する送信機と、
を具備する端末。
【請求項２】
前記回路は、前記複数の部分帯域のうち、非連続な部分帯域をドロップする、
請求項１に記載の端末。
【請求項３】
前記回路は、前記複数の部分帯域のうち、連続する部分帯域をドロップする、
請求項１に記載の端末。
【請求項４】
前記ドロップされる一部の部分帯域は、端末固有の情報に対応付けられている、
請求項１に記載の端末。
【請求項５】
前記ドロップされる一部の部分帯域は、前記端末が前記参照信号を送信するタイミングに対応付けられている、
請求項１に記載の端末。
【請求項６】
前記送信機は、前記参照信号が割り当てられる部分帯域を示す複数の設定情報に従って前記参照信号を送信し、
前記ドロップされる一部の部分帯域は、前記複数の設定情報のうちの一部の設定情報に示される部分帯域である、
請求項１に記載の端末。
【請求項７】
前記ドロップされる一部の部分帯域は、前記複数の部分帯域のうち、系列番号が同一の符号系列が設定された部分帯域の中の少なくとも１つの部分帯域である、
請求項１に記載の端末。
【請求項８】
前記ドロップされる一部の部分帯域は、前記複数の部分帯域のうち、系列番号及び巡回シフト番号の双方が同一の符号系列が設定された部分帯域の中の少なくとも１つの部分帯域である、
請求項１に記載の端末。
【請求項９】
部分帯域に対応する系列長を有する系列を複数個用いて生成される参照信号の送信電力が閾値を超える場合、複数の部分帯域のうち一部の部分帯域をドロップし、
前記複数の部分帯域のうち前記ドロップされる一部の部分帯域以外の残りの部分帯域で前記参照信号を送信する、
通信方法。
【発明の詳細な説明】
【技術分野】
【０００１】
本開示は、端末及び通信方法に関する。
【背景技術】
【０００２】
5Gの標準化において、LTE/LTE-Advancedとは必ずしも後方互換性を持たない新しい無線アクセス技術（NR：New RAT）が3GPPで議論されている。【０００３】
LTEでは、端末（「UE（User Equipment）」と呼ぶこともある）が基地局（「eNB」又は「gNB」と呼ぶこともある）から割り当てられた無線リソースで、Sounding Reference Signal（以下、「SRS」と呼ぶ）と呼ばれる参照信号を送信する。基地局は、SRSの受信品質を測定することで、SRSの送信帯域における上り品質を推定する。基地局は、上り品質の推定値を用いて、端末の周波数スケジューリング又はリンクアダプテーション（適応変調符号化）を行う。【０００４】
また、LTEのSRSは、Component carrier（CC：所定のシステム帯域）あたりに１つのZadoff-Chu（ZC）系列を用いて生成される。ZC系列の系列長は、SRS送信帯域幅に応じて決定される。また、CM/PAPR（Cubic Metric/Peak to Average Power Ratio）の増加を抑えるために、LTEのSRSは連続帯域で送信される。LTEのSRSは１つのZC系列を用いて生成されるため、CM/PAPRが低減できる利点を持つ。【０００５】
一方、NRでは、SRSを複数の部分帯域（以下、「partial band」と呼ぶ）で同時に送信するMultiple partial band-based SRS（以下、「Multi-PB SRS」と呼ぶ）が検討されている（例えば、非特許文献１を参照）。Multi-PB SRSは、１つのpartial bandのサイズに対応する系列長を有する系列（例えば、ZC系列）を１つ又は複数個用いて生成される。つまり、Multi-PB SRSの系列長は全体の送信帯域幅ではなく、partial bandに対応する帯域幅に応じて決定され、１つのpartial bandより広い送信帯域幅のSRSは、複数の系列（つまり、複数のpartial band）を用いて生成される。
【先行技術文献】
【非特許文献】
【０００６】
【非特許文献１】R1-1703453, Panasonic,“Discussion on SRS transmission for NR”, RAN1#88, February 2017
【発明の概要】
【０００７】
複数の系列を用いるMulti-PB SRSは、LTEのSRS、つまり、１つの系列から生成するSRS（以下、「Single-PB SRS」と呼ぶ）と比較してCM/PAPRが高くなる。端末は、送信機のパワーアンプを線形領域で動作させるため、最大送信電力をCM/PAPRに応じて削減する必要がある。よって、SRSのCM/PAPRが高いほど、端末の送信可能な最大送信電力が低下してしまう。端末がMulti-PB SRSを用いる場合に基地局から要求（指示）された送信電力でSRSを送信できない場合、基地局ではMulti-PB SRSを用いて上り品質を精度良く推定することができない。
【０００８】
本開示の一態様は、Multi-PB SRSを用いる場合でも、上り品質を精度良く推定することができる基地局、端末及び通信方法の提供に資する。
【０００９】
本開示の一態様に係る端末は、部分帯域に対応する系列長を有する系列を複数個用いて生成される参照信号の送信電力が閾値を超える場合、複数の部分帯域のうち一部の部分帯域をドロップする回路と、前記複数の部分帯域のうち前記ドロップされる一部の部分帯域以外の残りの部分帯域で前記参照信号を送信する送信機と、を具備する。
【００１０】
本開示の一態様に係る通信方法は、部分帯域に対応する系列長を有する系列を複数個用いて生成される参照信号の送信電力が閾値を超える場合、複数の部分帯域のうち一部の部分帯域をドロップし、前記複数の部分帯域のうち前記ドロップされる一部の部分帯域以外の残りの部分帯域で前記参照信号を送信する。
【００１１】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１２】
本開示の一態様によれば、Multi-PB SRSを用いる場合でも、上り品質を精度良く推定することができる。
【００１３】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】図１は、Single-PB SRSの一例を示す。
【図２】図２は、Multi-PB SRSの一例を示す。
【図３】図３は、Single-PB SRS及びMulti-PB SRSのCM特性の一例を示す。
【図４】図４は、実施の形態１に係る端末の一部の構成を示す。
【図５】図５は、実施の形態１に係る端末の構成を示す。
【図６】図６は、実施の形態１に係る基地局の構成を示す。
【図７】図７は、実施の形態１に係る端末の動作例を示す。
【図８】図８は、実施の形態１に係る基地局の動作例を示す。
【図９】図９は、実施の形態１に係るドロップするPartial bandの決定方法の一例を示す。
【図１０】図１０は、実施の形態１に係るドロップするPartial bandの決定方法の一例を示す。
【図１１】図１１は、実施の形態１に係るドロップするPartial bandの決定方法の一例を示す。
【図１２】図１２は、実施の形態１に係るSRS送信帯域の論理的なPartial band番号の一例を示す。
【図１３】図１３は、実施の形態１に係るPartial bandにおける直交性を説明する。
【図１４】図１４は、実施の形態２に係る端末の構成を示す。
【図１５】図１５は、実施の形態２に係る基地局の構成を示す。
【図１６】図１６は、実施の形態２に係るドロップするPartial bandの決定方法の一例を示す。
【図１７】図１７は、実施の形態３に係る端末の構成を示す。
【図１８】図１８は、実施の形態３に係る基地局の構成を示す。
【図１９】図１９は、実施の形態３に係るドロップするPartial bandの決定方法の一例を示す。
【図２０】図２０は、実施の形態３に係るドロップするPartial bandの決定方法の一例を示す。
【図２１】図２１は、実施の形態４に係る端末の構成を示す。
【図２２】図２２は、実施の形態４に係る基地局の構成を示す。
【図２３】図２３は、実施の形態４に係るSRSconfiguration情報の一例を示す。
【図２４】図２４は、実施の形態４に係るドロップするPartial bandの決定方法の一例を示す。
【図２５】図２５は、実施の形態５に係る端末の構成を示す。
【図２６】図２６は、実施の形態５に係る基地局の構成を示す。
【図２７】図２７は、実施の形態５に係るドロップするPartial bandの決定方法の一例を示す。
【発明を実施するための形態】
【００１５】
以下、本開示の実施の形態について図面を参照して詳細に説明する。
【００１６】
LTEのSRS（Single-PB SRS）は、CM/PAPRを低減できる利点を有する一方で、周波数スケジューリングの自由度が低い欠点がある。例えば、図１に示すように、複数の端末（UE#1,#2）のSRS（系列番号：#a）の送信帯域が一致しない場合には、cyclic shift（CS）によって複数の端末のSRSを符号直交化できない。SRSの直交性が崩れると、基地局は、それらのSRSを用いて上り品質を正しく測定できない。よって、LTEのSRSは、複数の端末間で送信帯域を完全に一致（送信帯域幅と送信帯域位置とを一致）させる制約があり、周波数スケジューリングの自由度が低くなる。
【００１７】
一方、NRは、LTEと比較して、様々な機能・能力(capability)を有する端末をサポートする必要がある。各端末の最適なSRS送信帯域幅は、各端末がサポートする送信帯域幅、送信電力又はアンテナ構成等に依存して決まる。このため、NRでは、様々なSRS送信帯域幅をサポートすることが重要である。よって、NRでは、LTEと比較して、SRSの周波数スケジューリングの自由度がより求められる。
【００１８】
NRのMulti-PB SRSは、図２に示すように、１つのpartial bandのサイズに対応する系列長を有する系列（例えばZC系列）を１つ又は複数個用いて生成される。ここで、partial bandとは、複数の端末間で共通の、SRSの最小送信周波数単位である。なお、partial bandは、「sub-band」又は「minimum partial band」と呼ばれることもある。
【００１９】
また、図２に示すように、基地局が広帯域の上り品質を短時間で推定できるように、Multi-PB SRSを非連続帯域で送信することも検討されている。
【００２０】
ここで、Multi-PB SRSでは、送信帯域が一致しない複数の端末のSRSを、異なるCSを用いることにより、partial band単位で符号直交化することができる。このため、複数の端末間で共通のpartial bandを用いて、各端末がMulti-PB SRSをそれぞれ生成することで、基地局は、各端末のSRS送信帯域幅又は送信帯域位置を自由に設定できる。このように、Multi-PB SRSは、LTEのSRSと比較して、周波数スケジューリングの自由度が高い利点がある。
【００２１】
しかし、上述したように、Multi-PB SRSは、LTEのSRS（Single-PB SRS）と比較してCM/PAPRが高くなる。図３は、Multi-PB SRS及びSingle-PB SRSのCM特性の一例を示す。図３に示すように、Multi-PB SRSのCMは、Single-PB SRSのCMと比較して約2〜3dB高い。
【００２２】
端末は、送信機のパワーアンプを線形領域で動作させるため、最大送信電力をCM/PAPRに応じて削減する必要がある。よって、SRSのCM/PAPRが高いほど、端末の送信可能な最大送信電力が低下する。このため、Multi-PB SRSを用いる場合、基地局から要求（指示）された送信電力で送信できない端末（以下、「Power limited端末」と呼ぶ）が発生する可能性ある。
【００２３】
また、端末のCM/PAPRに応じた最大送信電力の削減量は、端末の送信機の実装に依存する。このため、基地局は、Power limited端末の実際の最大送信電力（送信可能な最大送信電力）を把握することができない。よって、基地局は、Power limited端末が送信するMulti-PB SRSを用いて、上り品質を精度良く推定できない可能性がある。
【００２４】
そこで、以下では、Power limited端末が送信するMulti-PB SRSを用いて、基地局が上り品質を精度良く推定する方法について説明する。
【００２５】
（実施の形態１）
［通信システムの概要］
本開示の各実施の形態に係る通信システムは、端末１００及び基地局２００を備える。
【００２６】
端末１００はMulti-PB SRSを送信し、基地局２００はMulti-PB SRSを受信する。なお、上述したように、Multi-PB SRSは、１つのpartial bandのサイズに対応する系列長を有する系列を１つ又は複数個用いて生成される。つまり、端末１００は、１つのpartial band（部分帯域）より広い送信帯域幅のSRSを送信する場合、複数の系列を用いてMulti-PB SRSを生成し、複数のPartial bandでMulti-PB SRSを送信する。
【００２７】
図４は本開示の実施の形態に係る端末１００の一部の構成を示すブロック図である。図４に示す端末１００において、SRSドロップ制御部１０５は、Partial bandに対応する系列長を有する系列を複数個用いて生成されるMulti-PB SRSの送信電力が閾値（最大送信電力）を超える場合、複数のPartial bandのうち一部のPartial bandをドロップする。無線送信部１０７は、複数のPartial bandのうち上記ドロップされる一部のPartial band以外の残りのPartial bandでMulti-PB SRSを送信する。
【００２８】
［端末の構成］
図５は、本実施の形態に係る端末１００の構成を示すブロック図である。図５において、端末１００は、アンテナ１０１と、無線受信部１０２と、復調・復号部１０３と、SRS生成部１０４と、SRSドロップ制御部１０５と、SRS帯域設定部１０６と、無線送信部１０７と、を有する。
【００２９】
無線受信部１０２は、アンテナ１０１を介して受信した受信信号に対して、ダウンコンバート、Ａ／Ｄ変換等の受信処理を施し、受信信号を復調・復号部１０３へ出力する。
【００３０】
復調・復号部１０３は、無線受信部１０２から入力される受信信号に対して復調及び復号を行い、復号結果から、基地局２００から送信されたSRSリソース情報を抽出する。復調・復号部１０３は、SRSリソース情報をSRS生成部１０４、SRSドロップ制御部１０５及びSRS帯域設定部１０６へ出力する。
【００３１】
SRSリソース情報には、例えば、端末１００がSRSを送信する、周波数リソース情報（例えば、システム帯域内のPartial band番号）、Partial bandサイズ（SRS用系列の系列長に相当）、符号系列の系列情報（例えば、系列番号、CS番号）等が含まれる。なお、全てのSRSリソース情報が端末１００に対して同時に通知される必要はない。例えば、SRSリソース情報の一部の情報はセル共通情報として、又は、準静的な通知情報として端末１００に予め通知されてもよい。また、SRSリソース情報の一部の情報は、スペックで規定されたシステム共通情報とし、端末１００に通知されなくてもよい。
【００３２】
SRS生成部１０４は、SRSリソース情報に含まれるPartial bandサイズに対応する系列長の符号系列（例えば、ZC系列）を生成する。また、SRS生成部１０４は、SRSリソース情報に含まれるCS番号に基づいて、生成した符号系列に対して巡回シフトを付与する。SRS生成部１０４は、巡回シフト後の符号系列をSRSとして、SRS帯域設定部１０６に出力する。
【００３３】
SRSドロップ制御部１０５は、SRSを含む信号を送信するために必要な送信電力が不足する場合（自機がPower limited端末であると判定した場合）、SRSリソース情報に含まれるMulti-PB SRSの送信に使用される複数のPartial bandのうち、非送信（ドロップ）とする一部のPartial band（例えば、Partial band番号）を決定する。SRSドロップ制御部１０５は、ドロップするPartial bandを示す情報（Partial band番号）をSRS帯域設定部１０６へ出力する。なお、SRSドロップ制御部１０５は、ドロップするPartial bandを除いた残りのSRSの周波数リソース情報（Partial band番号）をSRS帯域設定部１０６へ出力してもよい。
【００３４】
なお、Power limited端末がドロップするPartial bandを決定するルール（以下、「ドロップルール」と呼ぶこともある）は、システムで規定されてもよく、基地局２００から端末１００へ通知されてもよく、端末１００と基地局２００との間で共有されている。
【００３５】
また、SRSドロップ制御部１０５は、SRSの送信電力を算出し、無線送信部１０７へ出力する。SRSドロップ制御部１０５は、一部のPartial bandのドロップを適用する場合、ドロップ後（つまり、送信帯域幅低減後）のSRSの送信電力を算出し、無線送信部１０７へ出力する。
【００３６】
なお、SRSドロップ制御部１０５における、Power limited端末の判定方法、及び、ドロップするPartial bandの決定方法の詳細については後述する。
【００３７】
SRS帯域設定部１０６は、SRSリソース情報に含まれるSRSの周波数リソース情報（Partial band番号）に対応するPartial bandから、SRSドロップ制御部１０５から入力される情報に示されるドロップするPartial bandを除いた残りのPartial bandに、SRS生成部１０４から入力されるSRSをマッピングし、マッピング後の信号を無線送信部１０７へ出力する。
【００３８】
無線送信部１０７は、SRS帯域設定部１０６から入力される信号に対してＤ／Ａ変換、アップコンバートを施す。また、無線送信部１０７は、SRSドロップ制御部１０５から入力されるSRS送信電力となるように増幅処理を施す。無線送信部１０７は、無線送信処理によって得られた無線信号をアンテナ１０１から基地局２００へ送信する。
【００３９】
［基地局の構成］
図６は、本実施の形態に係る基地局２００の構成を示すブロック図である。図６において、基地局２００は、SRSリソース情報生成部２０１と、変調・符号化部２０２と、無線送信部２０３と、アンテナ２０４と、無線受信部２０５と、復調部２０６と、SRSドロップ制御部２０７と、品質測定部２０８と、スケジューリング部２０９と、を有する。
【００４０】
SRSリソース情報生成部２０１は、後述するスケジューリング部２０９からの指示に基づいて、SRSリソース情報（上述した端末１００が受信したSRSリソース情報）を端末１００に通知するための制御信号を生成し、変調・符号化部２０２及び品質推定部２０８へ出力する。
【００４１】
なお、前述したように、基地局２００は、全てのSRSリソース情報を端末１００へ同時に通知する必要はない。Partial bandサイズ等の複数の端末１００で共通の情報の一部は、セル固有の情報として基地局２００が収容する複数の端末１００に通知してもよい。また、SRSリソース情報は、DCI（Downlink Control Information）、MAC（Medium Access Control）、RRC（Radio Resource Control）の何れかの情報、又は、これらを複数組み合わせて通知されてもよい。
【００４２】
変調・符号化部２０２は、SRSリソース情報生成部２０１から入力される制御信号を変調及び符号化し、符号化後の信号を無線送信部２０３へ出力する。
【００４３】
無線送信部２０３は、変調・符号化部２０２から入力される信号に対してＤ／Ａ変換、アップコンバート、増幅等の送信処理を施し、送信処理により得られた無線信号をアンテナ２０４から端末１００へ送信する。
【００４４】
無線受信部２０５は、アンテナ２０４を介して受信した端末１００からの信号に対してダウンコンバート、Ａ／Ｄ変換等の受信処理を施し、受信信号を復調部２０６へ出力する。
【００４５】
復調部２０６は、無線受信部２０５から入力される受信信号を復調し、復調信号を品質推定部２０８へ出力する。
【００４６】
SRSドロップ制御部２０７は、Power limited端末がドロップする可能性のあるPartial band番号を決定し、品質推定部２０８へ出力する。なお、Power limited端末が、ドロップするPartial bandを決定するルール（ドロップルール）は、システムで規定されてもよく、基地局２００から端末１００へ通知されてもよく、端末１００と基地局２００との間で共有されている。
【００４７】
品質推定部２０８は、SRSリソース情報生成部２０１から入力される制御信号（端末１００に通知したSRSリソース情報）に基づいて、復調部２０６から入力される復調信号から、SRS受信信号を抽出する。
【００４８】
また、品質推定部２０８は、SRSドロップ制御部２０７から入力される、Power limited端末がドロップする可能性のあるPartial band番号に基づいて、SRS受信信号を構成する各Partial bandがドロップされたか否か（当該Partial bandでSRSが送信されたか否か）を判定する。例えば、品質推定部２０８は、ドロップが適用されるPartial bandの平均受信電力が所定閾値以下（雑音レベル相当）の場合、SRS受信信号を送信した端末１００がPower limited端末であり、当該Partial bandが実際にドロップされていると判断する。また、品質推定部２０８は、ドロップが適用されるPartial bandの平均受信電力が所定閾値より大きい場合、SRS受信信号を送信した端末１００がPower limited端末ではなく、当該Partial bandがドロップされていない（つまり、SRSが送信されている）と判断する。
【００４９】
品質推定部２０８は、SRS生成に用いる符号系列から生成したレプリカ信号と、受信SRS信号との相関演算結果から、各Partial bandの品質推定値を算出する。ここで、品質推定部２０８は、ドロップが適用されたと判断したPartial bandの品質推定値を無効とする。つまり、品質推定部２０８は、ドロップが適用されたと判断したPartial band以外の有効なPartial bandの品質推定値を、スケジューリング部２０９へ出力する。
【００５０】
スケジューリング部２０９は、品質推定部２０８から入力される品質推定結果に基づいてデータのスケジューリング（MCS（Modulation and Coding Scheme）設定、周波数リソース割当、送信電力制御等）を行う。また、スケジューリング部２０９は、データの割当周波数を考慮して、各端末１００のSRSリソース情報を決定し、SRSリソース情報生成部２０１に出力する。
【００５１】
［端末１００及び基地局２００の動作］
以上の構成を有する端末１００及び基地局２００における動作について詳細に説明する。
【００５２】
図７は端末１００（図５）の動作を示すフローチャートであり、図８は基地局２００（図６）の動作を示すフローチャートである。
【００５３】
端末１００は、SRSを送信する際、自機がPower limited端末であるか否かを判定する（ＳＴ１０１）。端末１００がPower limited端末である場合（ＳＴ１０１：Ｙｅｓ）、端末１００は、SRSリソース情報に示される複数のPartial bandのうち、ドロップする一部のPartial band（又は、SRSを送信するPartial band）を決定する（ＳＴ１０２）。
【００５４】
このように、端末１００（SRSドロップ制御部１０５）は、SRSの送信電力が閾値（最大送信電力）を超える場合、複数のPartial bandのうち一部のPartial bandをドロップする。
【００５５】
そして、端末１００は、SRSの送信電力を設定する（ＳＴ１０３）。この際、端末１００がPower limited端末である場合（ＳＴ１０１：Ｙｅｓ）、端末１００は、ＳＴ１０２で決定したドロップするPartial bandを除く残りのPartial bandで送信されるSRSの送信電力を設定する。一方、端末１００がPower limited端末ではない場合（ＳＴ１０１：No）、端末１００は、SRSリソース情報に示されるPartial bandで送信されるSRSの送信電力を設定する。
【００５６】
そして、端末１００は、ＳＴ１０３で設定された送信電力でSRSを送信する（ＳＴ１０４）。このように、一部のPartial bandのドロップが適用される場合、端末１００（無線送信部１０７）は、Multi-PB SRSに設定された複数のPartial bandのうち、ドロップされる一部のPartial band以外の残りのPartial bandでMulti-PB SRSを送信する。
【００５７】
一方、基地局２００は、端末１００から送信されるSRSを受信する（ＳＴ２０１）。また、基地局２００は、SRSリソース情報に示される複数のPartial bandのうち、端末１００においてドロップされる可能性のあるPartial band（SRSが送信されていない可能性のあるPartial band）を決定する（ＳＴ２０２）。そして、基地局２００は、受信したSRSを用いて上り品質を推定する（ＳＴ２０３）。この際、基地局２００は、ＳＴ２０２で決定したPartial bandが実際にドロップされているか否かを判定する。そして、基地局２００は、ドロップされたPartial bandの品質推定値を無効とし、ドロップされたPartial band以外の残りのPartial bandの品質推定値を有効とする。
【００５８】
［Power limited端末の判定方法］
次に、端末１００（SRSドロップ制御部１０５）において、端末１００がPower limited端末であるか否かを判定する方法（図７のＳＴ１０１の処理）について詳細に説明する。
【００５９】
端末１００が１つの基地局２００（接続セルcと呼ぶ）に対してSRSを送信する場合、接続セルcあたりの送信信号に要求される送信電力（Preq,c）は、以下のように、SRSの要求される送信電力（Preq_SRS, c）と等しい。
Preq, c = Preq_SRS, c      式(1)
【００６０】
式（１）のPreq_SRS, cは、基地局２００（接続セルc）から通知されるパラメータと、SRS帯域幅とから算出される値であり、例えば、以下の式（２）で算出される。
Preq_SRS, c = Poffset, c + 10log10Mc+ Po, c +αcPLC + fc      式(2)
【００６１】
ここで、McはSRSの送信帯域幅（割当RB（Resource Block）数）であり、Po, cはデータチャネルの送信電力ターゲットを示すパラメータ値[dBm]であり、Poffset, cはPo, cに対するオフセット値[dB]であり、PLCはパスロスレベル[dB]であり、αcはパスロスの補償割合を示す重み係数であり、fcはクローズドループ制御される送信電力制御値（例えば、+3dBや-1dBなどの相対値）であり、過去の送信電力制御値を含めた加算結果である。
【００６２】
式（２）において、Poffset, c、Mc、Po, c、αc、 fcは、基地局２００から端末１００へ指示されるパラメータである。これらのパラメータの一部は、SRSリソース情報に含まれてもよい。また、式（２）において、PLCは端末１００で測定（図示せず）されるパラメータである。
【００６３】
次に、基地局２００（接続セルc）あたりの端末１００の送信可能な最大送信電力（PCMAX,c）は、例えば、以下のように算出される。
PCMAX,c = PPowerClass- MPRc      式(3)
【００６４】
ここで、PPowerClassは、端末１００の公称の最大送信電力（例えば、LTEの場合23dBm）であり、MPRcは送信信号のCM/PAPRに応じた最大送信電力の低減量（Maximum Power Reduction）である。
【００６５】
MPRcの最大許容値は基地局２００から端末１００へ通知されるが、MPRcの実際の値は端末１００の実装に依存する。このため、基地局２００は、MPRcの実際の値を把握できない。つまり、基地局２００は、式（３）に示すMPRcを考慮した端末２００の最大送信電力PCMAX,cを把握できない。なお、最大送信電力の低減量として、送信帯域の位置等に依存して、帯域外干渉レベルを抑えるための最大送信電力低減が更に加わる場合もある。
【００６６】
ここで、次式（４）に示す条件、つまり、端末１００の送信可能な最大送信電力（PCMAX,c）が接続セルcあたりの送信信号に要求される送信電力（Preq,c）未満の場合、端末１００は基地局２００の要求通りの送信電力で送信信号を送信できなくなり、送信電力不足となる。
PCMAX,c < Preq,c      式(4)
【００６７】
そこで、端末１００のSRSドロップ制御部１０５は、式（１）〜式（３）に示す送信電力計算において、式（４）の条件を満たす端末１００をPower limited端末であると判定する。
【００６８】
なお、以下の式（５）で定義されるPCMAX,cとPreq,cとの差分は、Power headroom（PHR）と呼ばれる。
PHR = PCMAX,c - Preq,c      式(5)
【００６９】
よって、端末１００のSRSドロップ制御部１０５は、式（１）〜式（３）に示す送信電力計算において、式（５）に示すPHRが負の値となる端末１００をPower limited端末であると判定してもよい。
【００７０】
また、端末１００が同一タイミング（例えば、同一Slot又は同一Subframe）で複数のセル、又は、複数のCCに対してSRSを含む送信信号を送信する場合、SRSドロップ制御部１０５は、複数のセル又は複数のCCの全て（又は一部）において要求される送信電力（Preq,c）に基づいて、端末１００がPower limited端末であるか否かを判定してもよい。具体的には、SRSドロップ制御部１０５は、各接続セルｃで要求される送信電力（Preq,c）のトータルの送信電力（ΣPreq,c）と、端末１００のトータルの送信可能な最大送信電力（PCMAX）とに基づいて、以下の条件を満たす場合に、端末１００がPower limited端末である判定する。
PCMAX < ΣPreq,c      式(6)
【００７１】
［ドロップするPartial bandの決定方法］
次に、端末１００（SRSドロップ制御部１０５）において、端末１００がPower limited端末である場合にドロップするPartial bandを決定する方法（図７のＳＴ１０２の処理）について詳細に説明する。
【００７２】
以下、ドロップするPartial bandを決定する具体例１，２について説明する。
【００７３】
＜具体例１＞
具体例１では、SRSドロップ制御部１０５は、不連続なPartial bandをドロップする。例えば、SRSドロップ制御部１０５は、SRSの送信に指示された複数のPartial bandの中から、不連続なPartial bandを均等に選択し、選択したPartial bandをドロップする。
【００７４】
図９、図１０、図１１は、具体例１におけるドロップするPartial bandの一例を示す。
【００７５】
図９及び図１０では、システム帯域内で定義されたPartial band毎にPartial band番号（図９では#0〜#6）が付加されている。また、図９及び図１０では、SRS送信帯域は、Partial band番号#0〜#5の６個のPartial bandである。
【００７６】
例えば、図９に示すように、SRSドロップ制御部１０５は、偶数番号のPartial band#0,#2,#4をドロップする。すなわち、端末１００は、Partial band#1,#3,#5でSRSを送信する。なお、図９では、偶数番号のPartial bandをドロップする場合について示しているが、奇数番号のPartial bandをドロップしてもよい。
【００７７】
または、図１０に示すように、SRSドロップ制御部１０５は、規定された一定数（図１０では３つ）毎のPartial bandをドロップする。すなわち、図１０では、端末１００は、Partial band#0,#3をドロップし、残りのPartial band#1,#2,#4,#5でSRSを送信する。なお、Partial bandをドロップする間隔は３つに限定されず、他の値でもよい。また、ドロップするPartial bandの開始位置は、Partial band#0（SRS送信帯域の端）に限らず、SRSドロップ制御部１０５は、他の位置のPartial bandから一定数毎にPartial bandをドロップしてもよい。
【００７８】
図９及び図１０の例では、システム帯域内で定義された物理的なPartial band番号に基づいてドロップされるPartial bandを決定するドロップルールについて説明した。しかし、ドロップルールは、端末１００のSRS送信帯域内で定義された論理的なPartial band番号に基づいてもよい。図１１は、SRSの送信帯域内で定義された論理的なPartial band番号に基づくドロップルールの一例を示す。図１１では、SRS送信帯域を構成する４つのPartial bandに対して論理的なPartial band番号#0〜#3がそれぞれ付加されている。図１１では、SRSドロップ制御部１０５は、論理的なPartial band番号のうち偶数番目のPartial band#0,#2をドロップする。なお、図１１において、奇数番目のPartial bandがドロップされてもよい。
【００７９】
このように、端末１００（Power limited端末）が非連続なPartial bandをドロップすることで、SRSパラメータ情報に示される複数のPartial band（周波数領域）においてPartial bandを均一にドロップすることができる。これにより、基地局２００において上り品質を推定できる周波数帯域が狭くなることを抑えることができ、周波数スケジューリング性能が向上する。
【００８０】
＜具体例２＞
具体例２では、SRSドロップ制御部１０５は、連続するPartial bandをドロップする。例えば、SRSドロップ制御部１０５は、端末１００に割り当てられたSRS送信帯域内の周波数が低い（又は周波数が高い）Partial bandから順に、規定された数のPartial bandをドロップする。
【００８１】
図１２は、具体例２におけるドロップするPartial bandの一例を示す。
【００８２】
図１２では、一例として、システム帯域内で定義されたPartial bandのうち、SRS送信帯域内で定義された論理的なPartial band番号#0〜#5が付加されている。
【００８３】
図１２に示すように、SRSドロップ制御部１０５は、SRS送信帯域内のPartial band#0〜#5のうち、周波数が低いPartial band#0から順に、規定された数（図１２では３個）の連続するPartial bandをドロップする。
【００８４】
このように、SRS送信帯域内の連続する一部のPartial bandをドロップすることにより、SRS送信帯域幅(Mc)が狭くなる。SRS送信帯域幅(Mc)が狭くなると、式（２）に従ってSRSの要求される送信電力（Preq_SRS）が小さくなるので、式（４）の条件を満たさなくなり、端末１００がPower limited端末でなくなる可能性がある。
【００８５】
よって、具体例２では、上述したようなドロップするPartial band数は固定値ではなく、SRSドロップ制御部１０５は、端末１００がPower limited端末でなくなるまで、連続するPartial bandを順にドロップしてもよい。これにより、ドロップされるPartial band数の増加を抑え、基地局２００での上り品質の推定精度を向上させることができる。
【００８６】
以上、ドロップするPartial bandを決定する具体例１，２について説明した。
【００８７】
以上説明したように、本実施の形態では、端末１００は、自機がPower limited端末であると判断した場合、Multi-PB SRSの送信帯域の一部のPartial bandをドロップ（非送信）し、残りのPartial bandでMulti-PB SRSを送信する。
【００８８】
SRS送信帯域内の一部のPartial bandをドロップすることにより、SRSの送信帯域幅が狭くなり、SRSの送信に必要な送信電力（つまり、Preq,c）が低下する（例えば、式（２）を参照）。また、同時送信されるPartial band数が少ないほどCM/PAPRは小さくなる特性があるので、MPRcが低下し、端末１００の送信可能な最大送信電力（PCMAX,c）が増加する（例えば、式（３）を参照）。すなわち、SRS送信帯域内の一部のPartial bandをドロップすることにより、端末１００の送信可能な最大送信電力（PCMAX,c）が増加し、SRSの送信に必要な送信電力（Preq,c）が低下するので、端末１００では、残りのPartial bandで送信されるSRSに対して、式（４）に示す条件を満たさなくなる可能性、つまり、基地局２００の要求通りの送信電力で送信信号を送信できる可能性が高くなる。よって、Power limited端末は、ドロップされなかった残りのPartial bandを用いて、基地局２００の要求通りの送信電力、又は、基地局２００の要求する送信電力に近い電力でSRSを送信することができる。
【００８９】
また、Multi-PB SRSは、Partial band毎に異なるCS番号を用いた複数の端末１００のSRSを直交化できる特徴を有する。このため、例えば、図１３に示すように、各端末１００（UE#1、UE#2）で一部のPartial bandがドロップされても、各端末１００から送信された残りのPartial bandでは符号系列（例えば、Seq#b）による直交性を維持することができる。
【００９０】
これにより、基地局２００は、Power limited端末から、ドロップされた一部のPartial band以外の残りのPartial bandで送信されたMulti-PB SRSを用いて、当該残りのPartial bandの上り品質を精度良く推定することができる。
【００９１】
よって、本実施の形態によれば、Multi-PB SRSを用いる場合でも、上り品質を精度良く推定することができる。
【００９２】
なお、具体例１では、非連続なPartial bandをドロップする方法として、偶数番号（又は奇数番号）のPartial bandをドロップする方法及び一定数毎のPartial bandをドロップする方法について説明したが、これに限定されない。例えば、具体例２で説明した方法と同様にして、SRSドロップ制御部１０５は、偶数番号（又は奇数番号）のPartial band、又は、一定数毎のPartial bandのうち、端末１００がPower limited端末でなくなる個数のPartial bandをドロップしてもよい。これにより、ドロップされるPartial band数の増加を抑え、基地局２００での上り品質の推定精度を向上させることができる。
【００９３】
（実施の形態２）
本実施の形態では、端末固有パラメータ情報を用いて、Multi-PB SRSのドロップルールが決定される場合について説明する。
【００９４】
［端末の構成］
図１４は、本実施の形態に係る端末３００の構成を示すブロック図である。なお、図１４において、実施の形態１（図５）と同様の構成には同一の符号を付し、その説明を省略する。具体的には、図１４に示す端末３００は、図５に示す端末１００と比較して、端末情報設定部３０１が追加されている。
【００９５】
端末情報設定部３０１は、端末固有パラメータ情報を設定し、SRSドロップ制御部３０２へ出力する。ここで、端末固有パラメータ情報とは、例えば、端末ID又はCS番号等である。なお、端末固有パラメータ情報は、端末ID及びCS番号に限定されず、各端末３００を識別できる端末固有の情報であればよい。
【００９６】
SRSドロップ制御部３０２は、端末情報設定部３０１から入力される端末固有パラメータ情報に基づいて、ドロップするPartial bandを決定し、決定したPartial bandを示す情報（例えば、Partial band番号）をSRS帯域設定部１０６へ出力する。
【００９７】
［基地局の構成］
図１５は、本実施の形態に係る基地局４００の構成を示すブロック図である。なお、図１５において、実施の形態１（図６）と同様の構成には同一の符号を付し、その説明を省略する。具体的には、図１５に示す基地局４００は、図６に示す基地局２００と比較して、端末情報設定部４０１が追加されている。
【００９８】
端末情報設定部４０１は、端末３００が備える端末情報設定部３０１と同様、各端末３００の端末固有パラメータ情報（例えば、端末ID又はCS番号等）を設定し、SRSドロップ制御部４０２へ出力する。
【００９９】
SRSドロップ制御部４０２は、端末情報設定部４０１から入力される端末固有パラメータ情報に基づいて、ドロップする可能性のあるPartial band（Partial band番号）を決定し、決定したPartial band番号を品質推定部２０８へ出力する。
【０１００】
［ドロップするPartial bandの決定方法］
次に、端末３００（SRSドロップ制御部３０２）において、端末３００がPower limited端末である場合にドロップするPartial bandを決定する方法（ドロップルール）について詳細に説明する。
【０１０１】
＜具体例３＞
具体例３では、SRSドロップ制御部３０２は、端末固有パラメータ情報の一例として、端末ID（UE ID）に基づいてドロップするPartial bandを決定する。
【０１０２】
図１６は、具体例３におけるドロップするPartial bandの一例を示す。図１６では、システム帯域内で定義されたPartial band毎にPartial band番号（図１６では#0〜#6）が付加されている。また、図１６では、SRS送信帯域は、Partial band番号#0〜#5の６個のPartial bandである。
【０１０３】
図１６では、端末IDが奇数の場合（図１６ではUE#3）、SRSドロップ制御部３０２は、奇数番号のPartial band#1,#3,#5をドロップする。すなわち、UE#3は、Partial band#0,#2,#4でSRSを送信する。一方、図１６では、端末IDが偶数の場合（図１６ではUE#2）、SRSドロップ制御部３０２は、偶数番号のPartial band#0,#2,#4をドロップする。すなわち、UE#2は、Partial band#1,#3,#5でSRSを送信する。
【０１０４】
なお、SRSドロップ制御部３０２は、端末IDが偶数の場合に奇数番号のPartial bandをドロップし、端末IDが奇数の場合に偶数番号のPartial bandをドロップしてもよい。
【０１０５】
このように、端末３００においてドロップされる一部のPartial bandは、端末３００の端末ID（端末固有パラメータ情報）に対応付けられている。これにより、図１６に示すように、偶数の端末IDを有する端末３００と奇数の端末IDを有する端末３００とでは、ドロップするPartial bandが互いに異なる。すなわち、ドロップされるPartial bandを端末IDと対応付けることにより、複数の端末３００間でドロップする帯域をランダム化させる効果が期待できる。
【０１０６】
なお、端末固有パラメータ情報は、端末IDに限定されず、端末３００が送信するSRSに設定されるCS番号を用いてもよい。CS番号は、SRSを多重する複数の端末３００に対してそれぞれ異なる番号が設定される。よって、ドロップされる一部のPartial bandがCS番号に対応付けられることで、端末IDを用いる場合と同様に、SRSを多重する複数の端末３００間でドロップする帯域をランダム化させる効果が期待できる。
【０１０７】
また、図１６に示す物理的なPartial band番号ではなく、図１２のように論理的なPartial band番号を用いてもよい。また、ドロップするPartial bandは、図１６に示すような非連続なPartial bandに限定されず、例えば、図１２に示すような連続するPartial bandでもよい。
【０１０８】
以上より、本実施の形態では、実施の形態１と同様、SRS送信帯域内の一部のPartial bandをドロップすることにより、端末３００の送信可能な最大送信電力（PCMAX,c）が増加し、SRSの送信に必要な送信電力（Preq,c）が低下し、残りのPartial bandで送信されるSRSに対して、基地局４００の要求通りの送信電力で送信信号を送信できる可能性が高くなる。よって、Power limited端末は、ドロップされなかった残りのPartial bandを用いて、基地局４００の要求通りの送信電力、又は、基地局４００の要求する送信電力に近い電力でSRSを送信することができる。これにより、基地局４００は、Power limited端末から、ドロップされた一部のPartial band以外の残りのPartial bandで送信されたMulti-PB SRSを用いて、当該残りのPartial bandの上り品質を精度良く推定することができる。
【０１０９】
また、本実施の形態によれば、Multi-PB SRSのドロップルールは、端末固有パラメータ情報に基づいて決定される。これにより、Power limited端末がドロップするPartial bandを、セル内の複数の端末３００間でランダム化（均一化）させることができる。よって、SRSの他セルへの干渉をランダム化できる。また、各端末３００が端末固有パラメータ情報に基づいて異なるPartial bandでSRSを送信することにより、基地局４００では、セル内で上り品質を推定できるPartial bandが増加し、周波数スケジューリング性能が向上する。
【０１１０】
（実施の形態３）
本実施の形態では、SRSに関する時間情報（タイミング情報）を用いて、Multi-PB SRSのドロップルールが決定される場合について説明する。
【０１１１】
［端末の構成］
図１７は、本実施の形態に係る端末５００の構成を示すブロック図である。なお、図１７において、実施の形態１（図５）と同様の構成には同一の符号を付し、その説明を省略する。具体的には、図１７に示す端末５００は、図５に示す端末１００と比較して、タイミング設定部５０１が追加されている。
【０１１２】
タイミング設定部５０１は、SRSの送信タイミング情報を設定し、SRSドロップ制御部５０２へ出力する。ここで、SRSの送信タイミング情報とは、例えば、SRSが送信されるSlot番号（又はSubframe番号）、又は、SRSの送信回数番号等である。なお、SRSの送信タイミング情報は、Slot番号（Subframe番号）及び送信回数に限定されず、各端末５００のSRS送信タイミングを特定できるパラメータであればよい。
【０１１３】
SRSドロップ制御部５０２は、タイミング設定部５０１から入力される送信タイミング情報に基づいて、ドロップするPartial bandを決定し、決定したPartial bandを示す情報（例えば、Partial band番号）をSRS帯域設定部１０６へ出力する。
【０１１４】
［基地局の構成］
図１８は、本実施の形態に係る基地局６００の構成を示すブロック図である。なお、図１８において、実施の形態１（図６）と同様の構成には同一の符号を付し、その説明を省略する。具体的には、図１８に示す基地局６００は、図６に示す基地局２００と比較して、タイミング設定部６０１が追加されている。
【０１１５】
タイミング設定部６０１は、端末５００が備えるタイミング設定部５０１と同様、各端末５００が送信するSRSの送信タイミング情報（例えば、Slot番号（又はSubframe番号）、又は、SRSの送信回数番号等）を設定し、SRSドロップ制御部６０２へ出力する。
【０１１６】
SRSドロップ制御部６０２は、タイミング設定部６０１から入力される送信タイミング情報に基づいて、ドロップする可能性のあるPartial band（Partial band番号）を決定し、決定したPartial band番号を品質推定部２０８へ出力する。
【０１１７】
［ドロップするPartial bandの決定方法］
次に、端末５００（SRSドロップ制御部５０２）において、端末５００がPower limited端末である場合にドロップするPartial bandを決定する方法（ドロップルール）について詳細に説明する。
【０１１８】
＜具体例４＞
具体例４では、SRSドロップ制御部５０２は、送信タイミング情報の一例として、SRSの送信回数に基づいてドロップするPartial bandを決定する。
【０１１９】
図１９及び図２０は、具体例４におけるドロップするPartial bandの一例を示す。図１９は、SRS送信帯域が時間的に変動する場合（周波数ホッピング有り）を示し、図２０は、SRS送信帯域が時間的に固定された場合（周波数ホッピング無し）を示す。なお、図１９及び図２０では、各スロットのSRS送信帯域において論理的なPartial band番号が付されている。
【０１２０】
図１９では、端末５００は、ｎスロット毎にMulti-PB SRSを送信し、複数のスロットに渡ってSounding帯域（システム帯域内のSRSの全送信帯域）全体でSRSを送信する。図１９では、Sounding帯域でSRSが送信されるには、端末５００は２回のSRS送信を行う必要がある。
【０１２１】
この場合、SRSドロップ制御部５０２は、Sounding帯域全体にSRSを送信するために必要な送信回数分のSRSを送信する度に、ドロップするPartial band（Partial band番号）を切り替える。例えば、図１９では、SRSドロップ制御部５０２は、最初の２回のSRS送信（Slot#0,#n）では、奇数番号のPartial band#1をドロップし、次の２回のSRS送信（Slot#2n、#3n）では、偶数番号のPartial band#0をドロップする。更に次の２回のSRS送信以降についても同様である。
【０１２２】
次に、図２０では、端末５００は、ｎスロット毎にSRSを送信する。
【０１２３】
この場合、図２０に示すように、SRSドロップ制御部５０２は、最初のSRS送信（Slot#0）では、奇数番号のPartial band#1,#3をドロップし、次のSRS送信（Slot#n）では、偶数番号のPartial band#0,#2をドロップする。更に次のSRS送信以降についても同様である。
【０１２４】
以上より、本実施の形態では、実施の形態１と同様、SRS送信帯域内の一部のPartial bandをドロップすることにより、端末５００の送信可能な最大送信電力（PCMAX,c）が増加し、SRSの送信に必要な送信電力（Preq,c）が低下し、残りのPartial bandで送信されるSRSに対して、基地局６００の要求通りの送信電力で送信信号を送信できる可能性が高くなる。よって、Power limited端末は、ドロップされなかった残りのPartial bandを用いて、基地局６００の要求通りの送信電力、又は、基地局６００の要求する送信電力に近い電力でSRSを送信することができる。これにより、基地局６００は、Power limited端末から、ドロップされた一部のPartial band以外の残りのPartial bandで送信されたMulti-PB SRSを用いて、当該残りのPartial bandの上り品質を精度良く推定することができる。
【０１２５】
また、本実施の形態によれば、Multi-PB SRSのドロップルールは、端末５００によるSRSの送信タイミング情報（時間情報）に基づいて決定される。すなわち、端末５００においてドロップされる一部のPartial bandは、端末５００がSRSを送信するタイミング（送信タイミング情報）に対応付けられている。
【０１２６】
これにより、端末５００は、各スロットでは、図１９又は図２０に示すSRS送信帯域内の一部のPartial bandをドロップしつつ、複数のスロットに渡ってSRS送信帯域全体でSRSを送信することができるので、基地局６００の周波数スケジューリング性能を向上させることができる。また、Power limited端末がドロップするPartial bandを、SRSが送信される複数のスロットにおいてランダム化（均一化）させることができる。
【０１２７】
（実施の形態４）
本実施の形態では、SRSパラメータ情報を用いて、Multi-PB SRSのドロップルールが決定される場合について説明する。
【０１２８】
［端末の構成］
図２１は、本実施の形態に係る端末７００の構成を示すブロック図である。なお、図２１において、実施の形態１（図５）と同様の構成には同一の符号を付し、その説明を省略する。具体的には、図２１に示す端末７００は、図５に示す端末１００と比較して、SRSパラメータ情報設定部７０１が追加されている。
【０１２９】
SRSパラメータ情報設定部７０１は、複数のSRSパラメータ情報を設定し、SRSドロップ制御部７０２へ出力する。
【０１３０】
ここで、SRSパラメータ情報とは、SRSのホッピングパターン（送信時間リソース毎の周波数リソース情報）が含まれる設定情報である。SRSパラメータ情報は、例えば、DCI、MAC、RRCのいずれか、又はこれらを組み合わせた情報として後述する基地局８００から通知されるSRS configuration 情報である。また、SRSパラメータ情報は、SRS送信帯域を構成する、各々が連続するPartial bandで構成される帯域毎に設定される。すなわち、１つの端末７００が非連続帯域でMulti-PB SRSを送信する場合、基地局８００は、非連続な複数の帯域にそれぞれ対応する複数のSRSパラメータ情報を当該１つの端末７００へ通知する。
【０１３１】
SRSドロップ制御部７０２は、SRSパラメータ情報設定部７０１から入力されるSRSパラメータ情報に基づいて、ドロップするPartial bandを決定し、決定したPartial bandを示す情報（例えば、Partial band番号）をSRS帯域設定部１０６へ出力する。
【０１３２】
［基地局の構成］
図２２は、本実施の形態に係る基地局８００の構成を示すブロック図である。なお、図２２において、実施の形態１（図６）と同様の構成には同一の符号を付し、その説明を省略する。具体的には、図２２に示す基地局８００は、図６に示す基地局２００と比較して、SRSパラメータ情報設定部８０１が追加されている。
【０１３３】
SRSパラメータ情報設定部８０１は、端末７００が備えるSRSパラメータ情報設定部７０１と同様、各端末７００のSRSパラメータ情報（例えば、SRS configuration情報）をSRSドロップ制御部８０２へ出力する。
【０１３４】
SRSドロップ制御部８０２は、SRSパラメータ情報設定部８０１から入力されるSRSパラメータ情報に基づいて、ドロップする可能性のあるPartial band（Partial band番号）を決定し、決定したPartial band番号を品質推定部２０８へ出力する。
【０１３５】
［ドロップするPartial bandの決定方法］
次に、端末７００（SRSドロップ制御部７０２）において、端末７００がPower limited端末である場合にドロップするPartial bandを決定する方法（ドロップルール）について詳細に説明する。
【０１３６】
＜具体例５＞
具体例５では、SRSドロップ制御部７０２は、SRSパラメータ情報に基づいてドロップするPartial bandを決定する。
【０１３７】
端末７００には、SRS送信帯域を構成する連続帯域毎の周波数ホッピングパターン（つまり、SRSが割り当てられるPartial band）を示す複数のSRSパラメータ情報が設定されている。例えば、図２３では、２つの連続帯域で構成されるSRS送信帯域が設定された端末７００に対して、２つのSRSパラメータ情報（SRS config#1及びSRS config#2）が設定されている。端末７００は、SRS config#1及びSRS config#2を用いて、各スロットにおいて非連続帯域（２つの連続帯域）でSRSを送信する。また、端末７００は、SRS config#1及びSRS config#2を用いて、ｎスロット毎に周波数ホッピングさせた帯域でSRSを送信する。
【０１３８】
このように１つの端末７００に複数の周波数ホッピングパターンが設定される場合、端末７００は、自機がPower limited端末と判定した場合、一部のSRSパラメータ情報に示される周波数ホッピングパターンに対応するPartial bandをドロップする。
【０１３９】
図２４は、具体例５におけるドロップするPartial bandの一例を示す。
【０１４０】
図２４では、SRSドロップ制御部７０２は、端末７００に設定されたSRS config#1及びSRS config#2（図２３を参照）のうち、SRS config#2による周波数ホッピングパターンに対応するPartial bandをドロップする。
【０１４１】
なお、SRSドロップ制御部７０２は、複数のSRSパラメータ情報（SRS configuration情報）に固有の番号（SRS configuration情報番号）が付加されている場合、一部のSRS configuration情報番号で通知されたSRSリソースをドロップしてもよい。
【０１４２】
また、複数のSRS configuration情報が異なる通知方法で通知される場合、SRSドロップ制御部７０２は、SRS configuration情報の通知方法に応じてドロップするSRS configuration情報（周波数ホッピング情報）を決定してもよい。例えば、時間的に準静的な情報を通知するために用いるRRCベースの通知と、動的な情報を通知にするために用いるDCIベースの通知とによって、複数のSRS configuration情報が端末７００に通知された場合、SRSドロップ制御部７０２は、RRCベースで通知されたSRS configuration情報に対応するSRSリソースを優先してドロップしてもよい。つまり、端末７００は、DCIベースで通知されたSRS configuration情報に対応するSRSを優先して送信する。
【０１４３】
以上より、本実施の形態では、実施の形態１と同様、SRS送信帯域内の一部のPartial bandをドロップすることにより、端末７００の送信可能な最大送信電力（PCMAX,c）が増加し、SRSの送信に必要な送信電力（Preq,c）が低下し、残りのPartial bandで送信されるSRSに対して、基地局８００の要求通りの送信電力で送信信号を送信できる可能性が高くなる。よって、Power limited端末は、ドロップされなかった残りのPartial bandを用いて、基地局８００の要求通りの送信電力、又は、基地局８００の要求する送信電力に近い電力でSRSを送信することができる。これにより、基地局８００は、Power limited端末から、ドロップされた一部のPartial band以外の残りのPartial bandで送信されたMulti-PB SRSを用いて、当該残りのPartial bandの上り品質を精度良く推定することができる。
【０１４４】
また、本実施の形態によれば、Multi-PB SRSのドロップルールは、複数の周波数ホッピングパターンを含むSRSパラメータ情報に基づいて決定される。すなわち、端末７００においてドロップされる一部のPartial bandは、端末７００に設定される複数のSRSパラメータ情報のうちの一部のSRSパラメータ情報に示されるPartial bandである。
【０１４５】
これにより、端末７００（Power limited端末）は、一部のSRSパラメータ情報による周波数ホッピングパターンに対応するSRSリソースをドロップする。これにより、Power limited端末は、一部のSRSリソース（Partial band）をドロップしつつ、複数のスロットに渡ってSounding帯域全体にSRSを送信することができるので、基地局８００の周波数スケジューリング性能を向上させることができる。
【０１４６】
（実施の形態５）
本実施の形態では、SRSの系列情報（系列番号及びCS番号）を用いて、Multi-PB SRSのドロップルールが決定される場合について説明する。
【０１４７】
［端末の構成］
図２５は、本実施の形態に係る端末９００の構成を示すブロック図である。なお、図２５において、実施の形態１（図５）と同様の構成には同一の符号を付し、その説明を省略する。具体的には、図２５に示す端末９００は、図５に示す端末１００と比較して、系列情報設定部９０１が追加されている。
【０１４８】
系列情報設定部９０１は、SRSを生成する符号系列の系列番号とCS番号とを含む系列情報を設定し、SRSドロップ制御部７０２へ出力する。
【０１４９】
SRSドロップ制御部９０２は、系列情報設定部９０１から入力される系列情報に基づいて、ドロップするPartial bandを決定し、決定したPartial bandを示す情報（例えば、Partial band番号）をSRS帯域設定部１０６へ出力する。
【０１５０】
［基地局の構成］
図２６は、本実施の形態に係る基地局１０００の構成を示すブロック図である。なお、図２６において、実施の形態１（図６）と同様の構成には同一の符号を付し、その説明を省略する。具体的には、図２６に示す基地局１０００は、図６に示す基地局２００と比較して、系列情報設定部１００１が追加されている。
【０１５１】
系列情報設定部１００１は、端末９００が備える系列情報設定部９０１と同様、各端末９００のSRSの系列情報（例えば、系列番号及びCS番号）をSRSドロップ制御部１００２へ出力する。
【０１５２】
SRSドロップ制御部１００２は、SRSパラメータ情報設定部１００１から入力されるSRSパラメータ情報に基づいて、ドロップする可能性のあるPartial band（Partial band番号）を決定し、決定したPartial band番号を品質推定部２０８へ出力する。
【０１５３】
［ドロップするPartial bandの決定方法］
次に、端末７００（SRSドロップ制御部７０２）において、端末７００がPower limited端末である場合にドロップするPartial bandを決定する方法（ドロップルール）について詳細に説明する。
【０１５４】
＜具体例６＞
具体例６では、SRSドロップ制御部９０２は、系列情報に基づいてドロップするPartial bandを決定する。
【０１５５】
図２７は、具体例６におけるドロップするPartial bandの一例を示す。図２７では、UE#1（端末９００）に対して、Partial band毎にSRSの生成に用いる符号系列の系列番号（Seq#a,#b）及びCS番号（CS#0,#3,#6,#9）が設定されている。
【０１５６】
端末９００がPower limited端末である場合、SRSドロップ制御部９０２は、系列番号及びCS番号の双方が同一の符号系列が設定された複数のPartial bandのうちの少なくとも１つのPartial bandをドロップする。
【０１５７】
例えば、図２７では、同一の系列番号：Seq#a及びCS番号：CS#0が設定されたPartial bandが２つあり、同一の系列番号：Seq#b及びCS番号：CS#6が設定されたPartial bandが２つある。そこで、SRSドロップ制御部９０２は、Seq#b及びCS#0が設定された１つのPartial band及びSeq#b及びCS#6が設定された１つのPartial bandをそれぞれドロップする。
【０１５８】
なお、図２７では、系列番号及びCS番号の双方が同一のPartial bandがドロップされる場合について説明したが、これに限定されず、例えば、CS番号に依らず、少なくとも系列番号が同一のPartial bandがドロップされてもよい。
【０１５９】
以上より、本実施の形態では、実施の形態１と同様、SRS送信帯域内の一部のPartial bandをドロップすることにより、端末９００の送信可能な最大送信電力（PCMAX,c）が増加し、SRSの送信に必要な送信電力（Preq,c）が低下し、残りのPartial bandで送信されるSRSに対して、基地局１０００の要求通りの送信電力で送信信号を送信できる可能性が高くなる。よって、Power limited端末は、ドロップされなかった残りのPartial bandを用いて、基地局１０００の要求通りの送信電力、又は、基地局１０００の要求する送信電力に近い電力でSRSを送信することができる。これにより、基地局１０００は、Power limited端末から、ドロップされた一部のPartial band以外の残りのPartial bandで送信されたMulti-PB SRSを用いて、当該残りのPartial bandの上り品質を精度良く推定することができる。
【０１６０】
また、本実施の形態によれば、Multi-PB SRSのドロップルールは、SRSの生成に用いる符号系列の系列情報（系列番号、CS番号）に基づいて決定される。ここで、系列番号が同一、又は、系列番号及びCS番号の双方が同一の符号系列を用いた場合にCM/PAPR特性が高くなる特性がある。よって、本実施の形態のように、系列番号が同一、又は、系列番号及びCS番号の双方が同一の符号系列が設定されたPartial bandをドロップすることにより、CM/PAPR特性を低減でき（つまり、MPRcを低減でき）、送信可能な最大送信電力（式（３）のPCMAX,c）を増加することができる。
【０１６１】
以上、本開示の各実施の形態について説明した。
【０１６２】
なお、上述した実施の形態は組み合わせてもよい。例えば、最初に、実施の形態５で説明した系列情報に基づくドロップルールを適用し、Partial bandドロップ適用後に依然としてPower limited端末であると判定された場合には、さらに実施の形態２で説明した端末固有パラメータ情報に基づくドロップルールを適用してもよい。または、基地局は、適用すべきドロップルールを端末毎に通知してもよい。または、セル毎に適用されるドロップルールが設定されてもよい。
【０１６３】
また、上記実施の形態において、一部のPartial bandをドロップすることは、一部のPartial band（残りのPartial band）でSRSが送信されることを意味する。
【０１６４】
また、上記各実施の形態では、SRSを例に挙げて説明したが、これに限らず、DM-RS (demodulation reference signal)、CSI-RS (Channel state information reference signal)などの符号系列を用いる参照信号に適用することもできる。
【０１６５】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６６】
本開示の端末は、部分帯域に対応する系列長を有する系列を複数個用いて生成される参照信号の送信電力が閾値を超える場合、複数の部分帯域のうち一部の部分帯域をドロップする回路と、前記複数の部分帯域のうち前記ドロップされる一部の部分帯域以外の残りの部分帯域で前記参照信号を送信する送信機と、を具備する。
【０１６７】
本開示の端末において、前記回路は、前記複数の部分帯域のうち、非連続な部分帯域をドロップする。
【０１６８】
本開示の端末において、前記回路は、前記複数の部分帯域のうち、連続する部分帯域をドロップする。
【０１６９】
本開示の端末において、前記ドロップされる一部の部分帯域は、端末固有の情報に対応付けられている。
【０１７０】
本開示の端末において、前記ドロップされる一部の部分帯域は、前記端末が前記参照信号を送信するタイミングに対応付けられている。
【０１７１】
本開示の端末において、前記送信機は、前記参照信号が割り当てられる部分帯域を示す複数の設定情報に従って前記参照信号を送信し、前記ドロップされる一部の部分帯域は、前記複数の設定情報のうちの一部の設定情報に示される部分帯域である。
【０１７２】
本開示の端末において、前記ドロップされる一部の部分帯域は、前記複数の部分帯域のうち、系列番号が同一の符号系列が設定された部分帯域の中の少なくとも１つの部分帯域である。
【０１７３】
本開示の端末において、前記ドロップされる一部の部分帯域は、前記複数の部分帯域のうち、系列番号及び巡回シフト番号の双方が同一の符号系列が設定された部分帯域の中の少なくとも１つの部分帯域である。
【０１７４】
本開示の通信方法は、部分帯域に対応する系列長を有する系列を複数個用いて生成される参照信号の送信電力が閾値を超える場合、複数の部分帯域のうち一部の部分帯域をドロップし、前記複数の部分帯域のうち前記ドロップされる一部の部分帯域以外の残りの部分帯域で前記参照信号を送信する。
【０１７５】
本開示の一態様は、移動通信システムに有用である。
【符号の説明】
【０１７６】
１００，３００，５００，７００，９００  端末
１０１，２０４  アンテナ
１０２，２０５  無線受信部
１０３  復調・復号部
１０４  SRS生成部
１０５，２０７，３０２，４０２，５０２，６０２，７０２，８０２，９０２，１００２  SRSドロップ制御部
１０６  SRS帯域設定部
１０７，２０３  無線送信部
２００，４００，６００，８００，１０００  基地局
２０１  SRSリソース情報生成部
２０２  変調・符号化部
２０６  復調部
２０８  品質推定部
２０９  スケジューリング部
３０１，４０１  端末情報設定部
５０１，６０１  タイミング設定部
７０１，８０１  SRSパラメータ情報設定部
９０１，１００１  系列情報設定部
【図１】
2018173438.tif 000003
【図２】
2018173438.tif 000004
【図３】
2018173438.tif 000005
【図４】
2018173438.tif 000006
【図５】
2018173438.tif 000007
【図６】
2018173438.tif 000008
【図７】
2018173438.tif 000009
【図８】
2018173438.tif 000010
【図９】
2018173438.tif 000011
【図１０】
2018173438.tif 000012
【図１１】
2018173438.tif 000013
【図１２】
2018173438.tif 000014
【図１３】
2018173438.tif 000015
【図１４】
2018173438.tif 000016
【図１５】
2018173438.tif 000017
【図１６】
2018173438.tif 000018
【図１７】
2018173438.tif 000019
【図１８】
2018173438.tif 000020
【図１９】
2018173438.tif 000021
【図２０】
2018173438.tif 000022
【図２１】
2018173438.tif 000023
【図２２】
2018173438.tif 000024
【図２３】
2018173438.tif 000025
【図２４】
2018173438.tif 000026
【図２５】
2018173438.tif 000027
【図２６】
2018173438.tif 000028
【図２７】
2018173438.tif 000029
【国際調査報告】
2018173438.tif 000030
2018173438.tif 000031
2018173438.tif 000032
2018173438.tif 000033